(57)【要約】【課題】本発明は、所定範囲の被測定物内の放射電磁ノイズ発生源の強さを、受信アンテナで得た受信データを処理して画像表示し、ノイズレベルを表示部で認識できることを目的とする。【解決手段】本発明による画像認識型放射電磁ノイズ分布測定装置及び方法は、放射電磁ノイズ発生源(3)が内設された被測定物(1)を受信アンテナ(9)及び距離センサ(10)で測定し、受信データ(9a)と距離データ(10a)と画像データ(8a)を用いて総合制御部(13)により測定画像(40)を表示部(14)で表示する構成である。【選択図】図１
2010019795.tif 000002
【特許請求の範囲】
【請求項１】
所定範囲を測定範囲(11)の対象とする被測定物(1)内で発生している放射電磁ノイズ(4)を測定する受信アンテナ(9)及び距離センサ(10)とを有する測定ユニット(5)と、前記受信アンテナ(9)及び距離センサ(10)をＸ−Ｙ方向に向けるためのアンテナＸ−Ｙ駆動装置(7)と、前記測定ユニット(5)に設けられたデジタルカメラ(8)と、前記受信アンテナ(9)からの受信データ(9a)、前記距離センサ(10)からの距離データ(10a)及び前記デジタルカメラ(8)からの画像データ(8a)を取り込むための総合制御部(13)と、前記総合制御部(13)に接続された表示部(14)と、よりなり、
前記アンテナＸ−Ｙ駆動装置(7)により前記受信アンテナ(9)をＸ−Ｙ方向へ駆動することにより、前記被測定物(1)内をＸ−Ｙ方向に走査し、前記被測定物(1)内の放射電磁ノイズ(4)の放射電磁ノイズ発生源(3)の位置を前記表示部(14)に表示することを特徴とする画像認識型放射電磁ノイズ分布測定装置。
【請求項２】
前記受信アンテナ(9)は、指向性アンテナよりなり、前記受信アンテナ(9)の受信方式は、ヘテロダイン方式よりなることを特徴とする請求項１記載の画像認識型放射電磁ノイズ分布測定装置。
【請求項３】
前記受信データ(9a)における前記放射電磁ノイズ(4)の強さは、前記総合制御部(13)における検出しきい値(20)により選別され、前記検出しきい値(20)は、前記総合制御部(13)において任意に設定できることを特徴とする請求項１又は２記載の画像認識型放射電磁ノイズ分布測定装置。
【請求項４】
前記表示部(14)で表示される前記放射電磁ノイズ(4)の強度は、色と表示範囲によることを特徴とする請求項１ないし３の何れかに記載の画像認識型放射電磁ノイズ分布測定装置。
【請求項５】
所定範囲を測定範囲(11)の対象とする被測定物(1)内で発生している放射電磁ノイズ(4)測定する受信アンテナ(9)及び距離センサ(10)とを有する測定ユニット(5)と、前記受信アンテナ(9)及び距離センサ(10)をＸ−Ｙ方向に向けるためのアンテナＸ−Ｙ駆動装置(7)と、前記測定ユニット(5)に設けられたデジタルカメラ(8)と、前記受信アンテナ(9)からの受信データ(9a)、前記距離センサ(10)からの距離データ(10a)及び前記デジタルカメラ(8)からの画像データ(8a)を取り込むための総合制御部(13)と、前記総合制御部(13)に接続された表示部(14)と、を用い、
前記アンテナＸ−Ｙ駆動装置(7)により前記受信アンテナ(9)をＸ−Ｙ方向へ駆動することにより、前記被測定物(1)内をＸ−Ｙ方向に走査し、前記被測定物(1)内の放射電磁ノイズ(4)の放射電磁ノイズ発生源(3)の位置を前記表示部(14)に表示することを特徴とする画像認識型放射電磁ノイズ分布測定方法。
【請求項６】
前記受信アンテナ(9)は、指向性アンテナよりなり、前記受信アンテナ(9)の受信方式は、ヘテロダイン方式よりなることを特徴とする請求項５記載の画像認識型放射電磁ノイズ分布測定方法。
【請求項７】
前記受信データ(9a)における前記放射電磁ノイズ(4)の強さは、前記総合制御部(13)における検出しきい値(20)により選別され、前記検出しきい値(20)は、前記総合制御部(13)において任意に設定できることを特徴とする請求項５又は６記載の画像認識型放射電磁ノイズ分布測定方法。
【請求項８】
前記表示部(14)で表示される前記放射電磁ノイズ(4)の強度は、色と表示範囲によることを特徴とする請求項５ないし７の何れかに記載の画像認識型放射電磁ノイズ分布測定方法。
【発明の詳細な説明】
【技術分野】
【０００１】
本発明は、画像認識型放射電磁ノイズ分布測定装置及び方法に関し、特に、所定範囲の被測定物内の放射電磁ノイズ発生源の強さを、受信アンテナで得た受信データを処理して画像表示し、ノイズレベルを表示部で認識できるようにするための新規な改良に関する。
【背景技術】
【０００２】
従来、用いられていたこの種の、例えば、室内の所定範囲内の各種電子機器から発生している放射電磁ノイズの放射量は、検査員が各種電子機器のうちの何れかの電子機器に対して、勘によって見当を付け、ノイズ測定器をその電子機器に対して向け、その放射電磁ノイズの強度を測定していた。
従って、その測定方法は、人手に頼る方法であるため、特許出願はされておらず、特許文献等は特に開示していない。
【発明の開示】
【発明が解決しようとする課題】
【０００３】
従来の放射電磁ノイズ分布測定方法は、以上のように構成されていたため、次のような課題が存在していた。
すなわち、多くの電子機器が存在する部屋の中で、検査員が勘によって見当を付けた電子機器に対してノイズ測定器を向け、放射電磁ノイズの強度を測定する方法であるため、例えば、部屋の中の多くの電子機器に対して個々に測定することは多大の労力を必要とすることになると共に、個々の電子機器の場所を特定することは極めて困難なことであった。また、全ての電子機器のノイズ分布を同時に示すことは困難であった。
【課題を解決するための手段】
【０００４】
本発明による画像認識型放射電磁ノイズ分布測定装置は、所定範囲を測定範囲の対象とする被測定物内で発生している放射電磁ノイズを測定する受信アンテナ及び距離センサとを有する測定ユニットと、前記受信アンテナ及び距離センサをＸ−Ｙ方向に向けるためのアンテナＸ−Ｙ駆動装置と、前記測定ユニットに設けられたデジタルカメラと、前記受信アンテナからの受信データ、前記距離センサからの距離データ及び前記デジタルカメラからの画像データを取り込むための総合制御部と、前記総合制御部に接続された表示部と、よりなり、前記アンテナＸ−Ｙ駆動装置により前記受信アンテナをＸ−Ｙ方向へ駆動することにより、前記被測定物内をＸ−Ｙ方向に走査し、前記被測定物内の放射電磁ノイズの放射電磁ノイズ発生源の位置を前記表示部に表示する構成であり、また、前記受信アンテナは、指向性アンテナよりなり、前記受信アンテナの受信方式は、ヘテロダイン方式よりなる構成であり、また、前記受信データにおける前記放射電磁ノイズの強さは、前記総合制御部における検出しきい値により選別され、前記検出しきい値は、前記総合制御部において任意に設定できる構成であり、また、前記表示部で表示される前記放射電磁ノイズの強度は、色と表示範囲による構成であり、また、本発明による画像認識型放射電磁ノイズ分布測定方法は、所定範囲を測定範囲の対象とする被測定物内で発生している放射電磁ノイズを測定する受信アンテナ及び距離センサとを有する測定ユニットと、前記受信アンテナ及び距離センサをＸ−Ｙ方向に向けるためのアンテナＸ−Ｙ駆動装置と、前記測定ユニットに設けられたデジタルカメラと、前記受信アンテナからの受信データ、前記距離センサからの距離データ及び前記デジタルカメラからの画像データを取り込むための総合制御部と、前記総合制御部に接続された表示部と、を用い、前記アンテナＸ−Ｙ駆動装置により前記受信アンテナをＸ−Ｙ方向へ駆動することにより、前記被測定物内をＸ−Ｙ方向に走査し、前記被測定物内の放射電磁ノイズの放射電磁ノイズ発生源の位置を前記表示部に表示する方法であり、また、前記受信アンテナは、指向性アンテナよりなり、前記受信アンテナの受信方式は、ヘテロダイン方式よりなる方法であり、また、前記受信データにおける前記放射電磁ノイズの強さは、前記総合制御部における検出しきい値により選別され、前記検出しきい値は、前記総合制御部において任意に設定できる方法であり、また、前記表示部で表示される前記放射電磁ノイズの強度は、色と表示範囲による方法である。
【発明の効果】
【０００５】
本発明による画像認識型放射電磁ノイズ分布測定装置及び方法は、以上のように構成されているため、次のような効果を得ることができる。
すなわち、所定範囲を測定範囲の対象とする被測定物内で発生している放射電磁ノイズを測定する受信アンテナ及び距離センサとを有する測定ユニットと、前記受信アンテナ及び距離センサをＸ−Ｙ方向に向けるためのアンテナＸ−Ｙ駆動装置と、前記測定ユニットに設けられたデジタルカメラと、前記受信アンテナからの受信データ、前記距離センサからの距離データ及び前記デジタルカメラからの画像データを取り込むための総合制御部と、前記総合制御部に接続された表示部と、よりなり、前記アンテナＸ−Ｙ駆動装置により前記受信アンテナをＸ−Ｙ方向へ駆動することにより、前記被測定物内をＸ−Ｙ方向に走査し、前記被測定物内の放射電磁ノイズの放射電磁ノイズ発生源の位置を前記表示部に表示することにより、多くの電子機器を自動的に走査して画像として画面上でそのノイズ強度を瞬時にかつ同時に表示することができ、労力を用いることなくノイズ分布の測定ができる。
また、前記受信アンテナは、指向性アンテナよりなり、前記受信アンテナの受信方式は、ヘテロダイン方式よりなることにより、部屋の中の各被測定物が発生するノイズ強度を正確にかつ瞬時に測定することができる。
また、前記受信データにおける前記放射電磁ノイズの強さは、前記総合制御部における検出しきい値により選別され、前記検出しきい値は、前記総合制御部において任意に設定できることにより、必要とするノイズ強度を自在に設定でき、ノイズ強度の分布を表示する際のレベル設定が容易となる。
前記表示部で表示される前記放射電磁ノイズの強度は、色と表示範囲によることにより、ノイズ強度を分布図として表示部に表示した場合に、極めて簡単かつ明瞭に表示かつ目視することができる。
【発明を実施するための最良の形態】
【０００６】
本発明は、所定範囲の被測定物内の放射電磁ノイズ発生源の強さを受信アンテナで得た受信データを処理して画像表示し、ノイズレベルを表示部で認識できるようにした画像認識型放射電磁ノイズ分布測定装置及び方法を提供することを目的とする。
【実施例】
【０００７】
以下、図面と共に本発明による画像認識型放射電磁ノイズ分布測定装置及び方法の好適な実施の形態について説明する。
図１において符号１で示されるものは、例えば、実験室、工場、製造現場、研究室等の部屋２からなる被測定物であり、この部屋２には、図５で示されるように、例えば、実験室の場合には、電子機器等からなる複数の放射電磁ノイズ発生源３が設けられ、各放射電磁ノイズ発生源３からは放射電磁ノイズ４が発生している。
【０００８】
前記部屋２から所定距離だけ離れた前方位置には、測定ユニット５が設置され、この測定ユニット５の基台６上には、アンプ内蔵型のアンテナＸ−Ｙ駆動装置７及びデジタルカメラ８が設置されている。
【０００９】
前記アンテナＸ−Ｙ駆動装置７には、指向性が強い特性の受信アンテナ９及び例えばレーザ測定型の距離センサ１０が設けられており、このアンテナＸ−Ｙ駆動装置７をＸ−Ｙ方向へ移動させることができるように構成され、このＸ−Ｙ方向への移動により被測定物１である部屋２に対して測定範囲１１が設定できるように構成されている。尚、受信アンテナ９による受信方式は周知のヘテロダイン方式等で行われる。
【００１０】
前記測定ユニット５には、表示ユニット１２が接続され、この表示ユニット１２は、総合制御部１３及びこの総合制御部１３に接続された表示部１４及びマウス１５によって構成されている。
前記総合制御部１３には、前記受信アンテナ９からの受信データ９ａ、距離センサ１０からの距離データ１０ａ及びデジタルカメラ８からの画像データ８ａが入力されていると共に、この総合制御部１３から出力されるＸ−Ｙ軸スキャン指令１３ａがアンテナＸ−Ｙ駆動装置７に入力されるように構成されている。
【００１１】
前記総合制御部１３では、前記受信データ９ａに基づき、測定する放射電磁ノイズ４の検出レベルを設定するための検出しきい値２０、前記受信データ９ａに基づいて作成するＸ−Ｙデータ合成２１、前記受信データ９ａ、距離データ１０ａ及び画像データ８ａに基づく画像処理２２及び画面操作処理２３等を行うことができるように構成されている。
【００１２】
前述の構成において、例えば、パソコンからなる表示ユニット１２の総合制御部１３からの予め設定されたプログラムに基づくＸ−Ｙ軸スキャン指令１３ａがアンテナＸ−Ｙ駆動装置７により受信アンテナ９及び距離センサ１０がＸ−Ｙ軸方向に駆動されると、受信アンテナ９及び距離センサ１０が、前記被測定物４である部屋２に対して、図３及び図４で示され走査方向であるＹ軸スキャン３０及びＸ軸スキャン３１が行われる。
【００１３】
前述の各スキャン３０、３１により、前記受信アンテナ９及び距離センサ１０から得られた受信データ９ａ及び距離データ１０ａと前記デジタルカメラ８からの画像データ８ａが、前記総合制御部１３に入力され、予め設定された検出しきい値２０に基づいて、Ｘ−Ｙデータ合成２１、画像処理２２及び画面操作処理２３等が行われ、図５で示される測定画像４０が表示部１４に表示される。
【００１４】
前記測定画像４０は、前記被測定物１の各放射電磁ノイズ発生源３の位置と、この放射電磁ノイズ発生源３の放射電磁ノイズ４の強さ及び位置が表示されている。
前記放射電磁ノイズ４の強度は、色と表示範囲（大きさ）で表示され、例えば、赤色は多く、青は少ない状態を示している。
従って、図５の測定画像４０において、太陽マークの大きい方が放射電磁ノイズが大であることを示している。
【図面の簡単な説明】
【００１５】
【図１】本発明による画像認識型放射電磁ノイズ分布測定装置を示す構成図である。
【図２】図１の要部を示すブロック図である。
【図３】図１の受信アンテナのＹ軸スキャン状態を示す説明図である。
【図４】図１の受信アンテナのＸ軸スキャン状態を示す説明図である。
【図５】図１の表示部で表示される測定画像を示す構成図である。
【符号の説明】
【００１６】
１    被測定物
２    部屋
３    放射電磁ノイズ発生源
４    放射電磁ノイズ
５    測定ユニット
６    基台
７    アンテナＸ−Ｙ駆動装置
８    デジタルカメラ
９    受信アンテナ
１０    距離センサ
１１    測定範囲
１２    表示ユニット
１３    総合制御部
１４    表示部
１５    マウス
８ａ    画像データ
９ａ    受信データ
２０    検出しきい値
２１    Ｘ−Ｙデータ合成
２２    画像処理
２３    画面操作処理
３０    Ｙ軸スキャン
３１    Ｘ軸スキャン
４０    測定画像
【図１】
2010019795.tif 000003
【図２】
2010019795.tif 000004
【図３】
2010019795.tif 000005
【図４】
2010019795.tif 000006
【図５】
2010019795.tif 000007